【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
ハウジング（１０、２１０、３００、４１０）とロータ（１５、３１５、４１５）とシール材（１１４、２１４）とから成り、前記ハウジング（１０、２１０、３００、４１０）は、内部にロータ通路を備え、該ロータ通路の第１の位置で前記ハウジング（１０、２１０、３００、４１０）内に形成される吸入口（１１、２１１）と、前記第１の位置から離れた第２の位置で前記ハウジング（１０、２１０、３００、４１０）内に形成される吐出口（１２、２１２）とを有し、前記ロータ（１５、３１５、４１５）は、前記ハウジング内で回転可能であり、前記ロータ（１５、３１５、４１５）上に形成された少なくとも１個の第１の表面が前記ハウジング（１０、２１０、３００、４１０）の前記ロータ通路を封止し、前記第１の表面から離れて前記ロータ（１５、３１５、４１５）の周上に少なくとも１個の第２の表面が形成され、該第２の表面は前記ロータ通路との間に空間を形成し、該空間は前記ロータ（１５、３１５、４１５）の回転に応じて前記ロータ通路上を通過し、前記ハウジング（１０、２１０、３００、４１０）の内周上において流体を前記吸入口（１１、２１１）から前記吐出口（１２、２１２）に輸送し、弾性を有する前記シール材（１１４、２１４）は前記ハウジング（１０、２１０、３００、４１０）と一体的に成形され、前記ロータ通路上に位置して前記吸入口（１１、２１１）と前記吐出口（１２、２１２）の間で前記ロータ（１５、３１５、４１５）の回転する方向に延在し、前記ロータの第１の表面は前記シール材（１１４、２１４）を封止すると共に弾性的に変形させ、前記ロータ（１５、３１５、４１５）が前記ハウジング内の前記ロータ通路を回転して前記シール材（１１４、２１４）を通過する際には前記吐出口（１２、２１２）から前記吸入口（１１、２１１）への流体の流れを防止するポンプ。
【請求項２】
前記ハウジング（１０、２１０、３００、４１０）と前記シール材（１１４、２１４）は１回の射出成形により樹脂材料から形成される請求項１に記載のポンプ。
【請求項３】
前記シール材（１１４、２１４）は柔軟性のある樹脂製の壁部を有する請求項１又は２に記載のポンプ。
【請求項４】
前記壁部は０．１ｍｍ〜０．３ｍｍの厚みを有し、望ましくはその厚みが０．１５ｍｍである請求項２〜３の何れかに記載のポンプ。
【請求項５】
ハウジング（１０、２１０、３００、４１０）とロータ（１５、３１５、４１５）とシール材（１１４、２１４）とから成り、前記ハウジング（１０、２１０、３００、４１０）は、内部にロータ通路を備え、該ロータ通路の第１の位置で前記ハウジング（１０、２１０、３００、４１０）内に形成される吸入口（１１、２１１）と、前記第１の位置から離れた第２の位置で前記ハウジング（１０、２１０、３００、４１０）内に形成される吐出口（１２、２１２）とを有し、前記ロータ（１５、３１５、４１５）は、前記ハウジング内で回転可能であり、前記ロータ（１５、３１５、４１５）上に形成された少なくとも１個の第１の表面が前記ハウジング（１０、２１０、３００、４１０）の前記ロータ通路を封止し、前記第１の表面から離れて前記ロータ（１５、３１５、４１５）の周上に少なくとも１個の第２の表面が形成され、該第２の表面は前記ロータ通路との間に空間を形成し、該空間は前記ロータ（１５、３１５、４１５）の回転に応じて前記ロータ通路上を通過し、前記ハウジング（１０、２１０、３００、４１０）の内周上において流体を前記吸入口（１１、２１１）から前記吐出口（１２、２１２）に輸送し、前記ハウジング（１０、２１０、３００、４１０）と一体的に成形され、弾性を有する前記シール材（１１４、２１４）は前記ハウジング（１０、２１０、３００、４１０）の前記ロータ通路上に位置して前記吸入口（１１、２１１）と前記吐出口（１２、２１２）の間で前記ロータ（１５、３１５、４１５）の回転する方向に延在し、前記第１のロータの表面は前記シール材（１１４、２１４）を封止すると共に弾性的に変形させ、前記ロータ（１５、３１５、４１５）が前記ハウジング内の前記ロータ通路を回転して前記シール材（１１４、２１４）を通過する際には前記吐出口（１２、２１２）から前記吸入口（１１、２１１）への流体の流れを防止し、前記シール材（１１４、２１４）は前記ロータ（１５、３１５、４１５）に接触する面の反対側に下面を有し、前記シール材（１１４、２１４）を前記ロータ（１５、３１５、４１５）に押し付ける際には前記下面に流体を供給するための通路（１０１、２０１）が設けられるポンプ。
【請求項６】
前記下面に供給される流体はポンプで吸引した流体である請求項５に記載のポンプ。
【請求項７】
前記ハウジング(１０、２１０)には流体が前記吐出口（１２、２１２）から前記下面に流れるように前記吐出口（１２、２１２）から延びる通路（１０１、２０１）が形成される請求項６に記載のポンプ。
【請求項８】
前記ハウジング(１０、２１０)は空間を形成し、前記シール材（１１４、２１４）は前記空間の壁部を形成し、流体は前記空間に供給される請求項５〜７の何れかに記載のポンプ。
【請求項９】
請求項７に従属するときは、前記通路（１０１、２０１）は前記吐出口（１２、２１２）から前記空間に延びる請求項８に記載のポンプ。
【請求項１０】
前記ハウジング(１０、２１０)は流体が前記吸入口（１１、２１１）から前記下面に流れるように前記吸入口（１１、２１１）から延びる通路を備える請求項６に記載のポンプ。
【請求項１１】
ハウジング（１０、２１０、３００、４１０）とロータ（１５、３１５、４１５）とシール材（１１４、２１４）とから成り、前記ハウジング（１０、２１０、３００、４１０）は、内部にロータ通路を備え、該ロータ通路の第１の位置で前記ハウジング（１０、２１０、３００、４１０）内に形成される吸入口（１１、２１１）と、前記ロータ通路の第１の位置から離れた第２の位置で前記ハウジング（１０、２１０、３００、４１０）内に形成される吐出口（１２、２１２）とを有し、前記ロータ（１５、３１５、４１５）は、前記ハウジング内で回転可能であり、前記ロータ（１５、３１５、４１５）上に形成された少なくとも１個の第１の表面が前記ハウジング（１０、２１０、３００、４１０）の前記ロータ通路を封止し、前記第１の表面は吸入口（１１、２１１）と吐出口（１２、２１２）の間の円弧の長さよりも長い円弧を有し、前記第１の表面から離れて前記ロータ（１５、３１５、４１５）の周上に形成された少なくとも１個の第２の表面は前記吸入口（１１、２１１）と吐出口（１２、２１２）の間の円弧の長さよりも長い円弧を有して前記ロータ通路との間に空間を形成し、該空間は前記ロータ（１５、３１５、４１５）の回転に応じて前記ロータ通路上を通過し、前記ハウジング（１０、２１０、３００、４１０）の内周上において流体を前記吸入口（１１、２１１）から前記吐出口（１２、２１２）に輸送し、前記ロータ通路に位置する弾性を有する前記シール材（１１４、２１４）は前記ロータ通路上にあって前記吸入口（１１、２１１）から前記吐出口（１２、２１２）の間で前記ロータ（１５、３１５、４１５）が回転する方向に延在し、前記第１の表面と前記第２の表面は前記シール材（１１４、２１４）を封止すると共に弾性的に変形させ、前記ハウジング内で前記ロータ（１５、３１５、４１５）が回転して前記シール材（１１４、２１４）を通過する際には前記吐出口（１２、２１２）から前記吸入口（１１、２１１）への流体の流れを防止するポンプ。
【請求項１２】
前記ロータの第１の表面は軸上に延在して、前記第２の表面（２１６）から外に向かって放射状に突出する隅角部（２１７）に形成され、前記第２の表面（２１６）は前記第１の表面に対して凹んでいる請求項１１に記載のポンプ。
【手続補正２】
【補正対象書類名】明細書
【補正対象項目名】００５０
【補正方法】変更
【補正の内容】
【００５０】
ロータ３１５は凹面を有し、そのうちの凹面１６ａ、１６ｃが図７に示されている。更に、ハウジング３００にはシール材１４が取り付けられるが、シール材１４は図面を参考にどのような方法でも形成される。パッド１４１は図５を参照して取り付けられ、キャップ３５８によって所定の場所に固定される。
【手続補正３】
【補正対象書類名】明細書
【補正対象項目名】００５１
【補正方法】変更
【補正の内容】
【００５１】
ハウジングと接触面の圧力が所定の値になるように、ロータ３１５からハウジングに掛かる圧力は注意深く調整される。この圧力は次のどの方法（個々の方法か、２つかそれ以上の方法のコンビネーション）によっても掛けることができる。第１の方法では、圧力はロータ３１５に作用するばねにより与えられる。第２の方法では、圧力は製造中にハウジング３００の小径を有する端部の所定の位置に収まるように、ロータ３１５にフランジや取手を備えた形状に変更されている。第３の方法では、圧力はロータ３１５の軸上の適切な場所に保持されるように、ハウジング３００の大径を有する端部に変更されている。また、ハウジング３００の端部を熱処理したり周囲に舌片を取り付けたり、ハウジング３００のワッシャを溶着してリムを形成したり、ロータ３１５が所定の場所に嵌り込むように、ハウジング３００の周囲に変形可能な舌片を成形するなどの変更も可能である。
【手続補正４】
【補正対象書類名】明細書
【補正対象項目名】００６８
【補正方法】変更
【補正の内容】
【００６８】
図１１と図１２に示すように、ロータ３１５の大径の端部には大径の端部から離れて、周囲に延びる２個の円弧を有する片持ち梁状のばねアーム３７０、３７１が形成される。図１１に示すように、ばねアーム３７０、３７１の自由端はワッシャ３５７を支え、ロータ３１５をハウジング３００に密着させるばね力を与えて、上記のポンプの始動を容易にするために、ロータ３１５をハウジング３００に近付け、粘度の高い流体が出口に到達するとロータとハウジングの間の距離を広げる。
【手続補正５】
【補正対象書類名】明細書
【補正対象項目名】００６９
【補正方法】変更
【補正の内容】
【００６９】
ばねアーム３７０、アーム３７１はロータ３１５とは別体に形成される。ロータ３１５が成形される個所では、例えばばねアーム３７０、アーム３７１もロータ３１５と同時に成形される。そのような場合に、成形材料には残留歪が小さなポリアセタールが適している。残留歪が小さいばねの場合に、１個のポンプ装置で吐出される様々な粘度の流体に対応できる利点がある。
【手続補正６】
【補正対象書類名】明細書
【補正対象項目名】００７１
【補正方法】変更
【補正の内容】
【００７１】
この実施形態での移動範囲は、ロータ３１５の大径端部とワッシャ３５７間の距離によって制約されるが、必要に応じてその距離は調整したり制限することも可能である。
【手続補正７】
【補正対象書類名】図面
【補正対象項目名】図７
【補正方法】変更
【補正の内容】
【図７】
2012524864.tif 000001